(57)【要約】【課題】床スラブコンクリート打設による木質梁側面及び底面の汚損を抑制する。【解決手段】床スラブコンクリートを打設するための底型枠を木質梁の側面又は上面に押し当てた部位に生じる継目を第１目張り部材で塞ぐ工程と、前記継目から前記木質梁の側面に渡って養生シートで覆う工程と、を有する梁の養生方法。【選択図】図２
2014201980.tif 000002
【特許請求の範囲】
【請求項１】
床スラブコンクリートを打設するための底型枠を木質梁の側面又は上面に押し当てた部位に生じる継目を第１目張り部材で塞ぐ工程と、
前記継目から前記木質梁の側面に渡って養生シートで覆う工程と、
を有する梁の養生方法。
【請求項２】
前記底型枠と前記木質梁の側面又は上面との間に閉塞部材を設ける工程を有する請求項１に記載の梁の養生方法。
【請求項３】
前記木質梁は、荷重を支持する木製の梁心材と、該梁心材の側面と底面を取り囲む燃え止まり層と、該燃え止まり層の側面と底面を取り囲む木製の燃え代層とを備え、
前記梁心材上面と前記燃え止まり層上面の層継目、及び前記燃え止まり層上面と前記燃え代層上面の層継目を第２目張り部材で塞ぐ工程を有する
請求項１又は２に記載の梁の養生方法。
【発明の詳細な説明】
【技術分野】
【０００１】
本発明は、床スラブコンクリート打設に対する梁の養生方法に関する。
【背景技術】
【０００２】
木質梁上にコンクリート製の床スラブを設けて床スラブから生じる音や振動を低減することが考えられている。例えば、特許文献１には、複合木質構造材からなる梁の上にコンクリート製の床スラブを設けた例が開示されている。
【０００３】
一般に、コンクリート製の床スラブは、梁の側面に端部を押し当てて設置した底型枠上にコンクリートを打設して形成するが、梁の側面と底型枠の端部の継目からコンクリートノロが漏れ出して、梁の側面や底面を汚損することが懸念される。
【先行技術文献】
【特許文献】
【０００４】
【特許文献１】特開２００８−２１８９号公報
【発明の概要】
【発明が解決しようとする課題】
【０００５】
本発明は係る事実を考慮し、床スラブコンクリート打設による木質梁側面及び底面の汚損を抑制することを課題とする。
【課題を解決するための手段】
【０００６】
請求項１に記載の発明は、床スラブコンクリートを打設するための底型枠を木質梁の側面又は上面に押し当てた部位に生じる継目を第１目張り部材で塞ぐ工程と、前記継目から前記木質梁の側面に渡って養生シートで覆う工程と、を有する梁の養生方法である。
【０００７】
請求項１に記載の発明では、第１目張り部材により、床スラブコンクリート打設時及び養生時に継目からコンクリートノロが漏れ出すことを抑制することができ、また、養生シートにより、木質梁の側面にコンクリートノロが付着するのを抑制することができる。よって、第１目張り部材及び養生シートからなる二重の養生により、床スラブコンクリート打設時及び養生時に継目からコンクリートノロが漏れて木質梁の側面及び底面に伝わり汚損することを抑制できる。
【０００８】
また、木質梁は二重に養生されるので、第１目張り部材は、コンクリートノロの漏れ出しを抑制できる材料によって形成されたものであればよい。すなわち、第１目張り部材は、コンクリートノロに対して完璧な遮蔽性を有するものでなくてもよい。例えば、第１目張り部材を、コンクリートノロは染み込むが漏れ出しは抑制できる紙製テープとしてもよい。これにより、安価又は簡易な方法で、木質梁の養生を行うことができる。
【０００９】
請求項２に記載の発明は、請求項１に記載の梁の養生方法において、前記底型枠と前記木質梁の側面又は上面との間に閉塞部材を設ける工程を有する。
【００１０】
請求項２に記載の発明では、閉塞部材により、継目に生じる隙間を減らし又は無くし、継目からコンクリートノロが漏れ出すことを抑制することができる。よって、第１目張り部材、閉塞部材、及び養生シートによる三重の養生により、床スラブコンクリート打設時及び養生時に継目からコンクリートノロが漏れて木質梁の側面及び底面に伝わり汚損することをより抑制できる。
【００１１】
請求項３に記載の発明は、請求項１又は２に記載の梁の養生方法において、前記木質梁は、荷重を支持する木製の梁心材と、該梁心材の側面と底面を取り囲む燃え止まり層と、該燃え止まり層の側面と底面を取り囲む木製の燃え代層とを備え、前記梁心材上面と前記燃え止まり層上面の層継目、及び前記燃え止まり層上面と前記燃え代層上面の層継目を第２目張り部材で塞ぐ工程を有する。
【００１２】
請求項３に記載の発明では、梁心材上面と燃え止まり層上面の層継目や、燃え止まり層上面と燃え代層上面の層継目からコンクリートノロの水分が染み込んで、この染み込んだ水分により梁心材や燃え代層が腐食するのを防ぐことができる。また、染み込んだ水分が乾燥して木質梁が変形したり割れたりするのを防ぐことができる。
【発明の効果】
【００１３】
本発明は上記構成としたので、床スラブコンクリート打設による木質梁側面及び底面の汚損を抑制することができる。
【図面の簡単な説明】
【００１４】
【図１】本発明の実施形態に係る梁の養生方法を示す正面断面図である。
【図２】本発明の実施形態に係る継目付近を示す正面断面図である。
【図３】本発明の実施形態に係る養生シートの固定方法を示す正面断面図である。
【図４】本発明の実施形態に係る養生シートの固定方法を示す正面断面図である。
【図５】本発明の実施形態に係る梁の養生方法を示す正面断面図である。
【図６】本発明の実施形態に係る梁の養生方法を示す正面断面図である。
【発明を実施するための形態】
【００１５】
図を参照しながら、本発明の実施形態を説明する。まず、本発明の実施形態に係る梁の養生方法について説明する。
【００１６】
図１の正面図には、本発明の実施形態に梁の養生方法によってコンクリート養生が施された木質梁１０が示されている。木質梁１０は、荷重を支持する木製の梁心材１２と、梁心材１２の側面と底面を取り囲む燃え止まり層１４と、燃え止まり層１４の側面と底面を取り囲む木製の燃え代層１６を備えている。
【００１７】
梁心材１２及び燃え代層１６は、木材によって形成されていればよい。例えば、梁心材１２及び燃え代層１６は、米松、唐松、檜、杉、あすなろ等の一般の木造建築に用いられる木材（以下、「一般木材」とする）によって形成してもよいし、これらの一般木材を板状や角柱状等に加工した製材を複数集成し、製材同士を接着剤により接着して一体化した、所謂、集成材であってもよい。
【００１８】
また、燃え止まり層１４は、火炎及び熱の進入を抑えて燃え止まり効果を発揮できる層であればよい。例えば、燃え止まり層１４は、難燃性を有する材料によって構成された層や熱の吸収が可能な層であればよい。
【００１９】
難燃性を有する材料によって構成された層としては、木材に難燃薬剤を注入して不燃化処理した難燃薬剤注入層や、石膏ボードによって形成された層が挙げられる。熱の吸収が可能な層は、一般木材よりも着火温度が高く熱容量が大きな材料、一般木材よりも断熱性が高い材料、又は一般木材よりも熱慣性が高い材料によって形成してもよいし、これらの材料と一般木材とを組み合わせて形成してもよい（図１には、一般木材よりも着火温度が高く熱容量が大きな材料であるモルタルによって形成された板部材１８と、一般木材によって形成された板状の製材２０を交互に配置して、燃え止まり層１４を形成している例が示されている）。また、難燃性を有する材料によって構成された層と、熱の吸収が可能な層とを組み合わせて（例えば、難燃性を有する材料によって構成された層と、熱の吸収が可能な層を交互に配置して）燃え止まり層１４を形成してもよい。
【００２０】
一般木材よりも着火温度が高く熱容量が大きな材料としては、モルタル、石材、ガラス、繊維補強セメント、石膏等の無機質材料、各種の金属材料などが挙げられる。一般木材よりも断熱性が高い材料としては、けい酸カルシウム板、ロックウール、グラスウールなどが挙げられる。一般木材よりも熱慣性が高い材料としては、セランガンバツ、ジャラ、ボンゴシ等の木材が挙げられる。
【００２１】
梁心材１２の上面には、木質梁１０上に設けられる床スラブ２２との一体化を高めて、木質梁１０の梁心材１２と床スラブ２２の間で効率よくせん断力を伝達するためのせん断力伝達部材としてのラグスクリュー２４が、梁心材１２の上面から頭部２６を突出させて設けられている。
【００２２】
木質梁１０の左右には、床スラブコンクリートを打設するための木製の底型枠２８が支保工等（不図示）により支持されて配置され、木質梁１０の側面３６に、後に説明する弾性材３０を介して端部３２を押し当てた状態で設置されている。
【００２３】
本実施形態では、図２の拡大図に示すように、底型枠２８の端面３４と、木質梁１０の側面３６の間の部分を、弾性材３０を介して木質梁１０の側面３６に底型枠２８の端部３２を押し当てた部位に生じる継目３８とする。なお、弾性材３０を設けずに、底型枠２８の端面３４を木質梁１０の側面３６に直接接触させる場合は、底型枠２８の端面３４と、木質梁１０の側面３６の接触面（底型枠２８の端面３４及び木質梁１０の側面３６）が継目３８となる。
【００２４】
図１及び図２に示すように、継目２８の上面（底型枠２８の端部３２上面と、木質梁１０の燃え代層１６上面の間）は、ガムテープ等の粘着テープからなる第１目張り部材としての目張りテープ４０で塞がれている。
【００２５】
また、木質梁１０は、継目３８から木質梁１０の側面３６に渡って、ビニールシートからなる養生シート４２で覆われている。養生シート４２は、上端部が接着テープ４４等によって木質梁１０の側面３６上部に固定され、下端部が下方に垂らされている。
【００２６】
さらに、底型枠２８の端面３４と、木質梁１０の側面３６の間には、発泡エチレンシートからなる閉塞部材としての弾性材３０が設けられている。弾性材３０は、底型枠２８の端面３４と、木質梁１０の側面３６で挟み込むことにより、底型枠２８の端面３４と、木質梁１０の側面３６の密着性（底型枠２８の端面３４と弾性材３０、及び木質梁１０の側面３６と弾性材３０の密着性）を高めた状態で、底型枠２８の端面３４と、木質梁１０の側面３６の間に設けられている。
【００２７】
また、梁心材１２上面と燃え止まり層１４上面の層継目（梁心材１２上面と燃え止まり層１４上面の間）、及び燃え止まり層１４上面と燃え代層１６上面の層継目（燃え止まり層１４上面と燃え代層１６上面の間）を、ガムテープ等の粘着テープからなる第２目張り部材としての目張りテープ４６で塞ぐ。図２には、梁心材１２上面と燃え止まり層１４上面の層継目、及び燃え止まり層１４上面と燃え代層１６上面の層継目を、１つの目張りテープ４６で塞いでいる例が示されているが、梁心材１２上面と燃え止まり層１４上面の層継目と、燃え止まり層１４上面と燃え代層１６上面の層継目を、別々の目張りテープ４６で塞ぐようにしてもよい。
【００２８】
このように、木質梁１０には、目張りテープ４０、弾性材３０、及び養生シート４２による三重の養生が施されており、目張りテープ４０、弾性材３０、養生シート４２の順に、段階的にコンクリートノロの漏れ出し抑制効果（目張りテープ４０及び弾性材３０の効果）、又は木質梁１０の側面へのコンクリートノロの付着抑制効果（養生シート４２の効果）を発揮していく。
【００２９】
本実施形態の梁の養生方法では、まず、養生シート４２の上端部を木質梁１０の側面３６に固定し、下端部を下方に垂らして、継目３８から木質梁１０の側面３６に渡って養生シート４２で覆う。
【００３０】
次に、弾性材３０を所定の位置に配置した状態で、底型枠２８の端部３２を弾性材３０に押し付けて、底型枠２８の端面３４と、木質梁１０の側面３６で弾性材３０を挟み込むことにより、木質梁１０の側面３６と、底型枠２８の端面３４の間に弾性材３０を設ける。
【００３１】
次に、継目３８（型枠２８上面と、木質梁１０の燃え代層１６上面の間）を、目張りテープ４０で塞ぐ。
【００３２】
次に、梁心材１２上面と燃え止まり層１４上面の層継目（梁心材１２上面と燃え止まり層１４上面の間）、及び燃え止まり層１４上面と燃え代層１６上面の層継目（燃え止まり層１４上面と燃え代層１６上面の間）を、目張りテープ４６で塞ぐ。なお、梁心材１２上面と燃え止まり層１４上面の層継目、及び燃え止まり層１４上面と燃え代層１６上面の層継目を目張りテープ４６で塞ぐ工程は、どのタイミングで行ってもよい。
【００３３】
そして、木質梁１０の養生が完了した後に、底型枠２８及び木質梁１０の上にコンクリートを打設し、鉄筋コンクリート製の床スラブ２２を形成する。底型枠２８は、床スラブ２２が所定の強度に達した後に脱型する。
【００３４】
次に、本発明の実施形態に係る梁の養生方法の作用と効果について説明する。
【００３５】
本実施形態では、図１及び図２に示すように、目張りテープ４０により、床スラブコンクリート打設時及び養生時に継目３８（型枠２８上面と、木質梁１０の燃え代層１６上面の間）からコンクリートノロが漏れ出すことを抑制することができる。また、弾性材３０により、継目３８に生じる隙間を減らし又は無くし、継目３８からコンクリートノロが漏れ出すことを抑制することができる。さらに、養生シート４２により、木質梁１０の側面にコンクリートノロが付着するのを抑制することができる。
【００３６】
よって、目張りテープ４０、弾性材３０、及び養生シート４２による三重の養生により、床スラブコンクリート打設時及び養生時に継目３８からコンクリートノロが漏れて木質梁１０の側面３６及び底面４８に伝わり汚損することをより抑制できる。よって、木質梁１０の美観を損ねてしまうのを防ぐことができ、また、木質梁１０の側面３６及び底面４８に生じた汚れを化学薬品等で落とす手間や費用を無くす又は軽減することができる。
【００３７】
また、木質梁１０は、目張りテープ４０、弾性材３０、及び養生シート４２により三重に養生されており、目張りテープ４０、弾性材３０、及び養生シート４２は、この順に段階的にコンクリートノロの漏れ出し抑制効果（目張りテープ４０及び弾性材３０の効果）、又はコンクリートノロの付着抑制効果（養生シート４２の効果）を発揮する。よって、目張りテープ４０及び弾性材３０は、コンクリートノロの漏れ出しを抑制できる材料によって形成されているものであればよく、養生シート４２は、木質梁１０の側面にコンクリートノロが付着するのを抑制することができるものであればよい。すなわち、目張りテープ４０、弾性材３０、及び養生シート４２は、コンクリートノロに対して完璧な遮蔽性を有するものでなくてもよい。例えば、目張りテープ４０を、コンクリートノロは染み込むが漏れ出しは抑制できる紙製テープとしてもよいし、弾性材３０をスポンジ等にしてもよい。これにより、安価又は簡易な方法で、木質梁１０の養生を行うことができる。
【００３８】
さらに、梁心材１２上面と燃え止まり層１４上面の層継目、及び燃え止まり層１４上面と燃え代層１６上面の層継目を目張りテープ４６で塞ぐことにより、これらの層継目からコンクリートノロの水分が染み込んで、この染み込んだ水分により梁心材１２や燃え代層１６が腐食するのを防ぐことができる。また、染み込んだ水分が乾燥して木質梁１０が変形したり割れたりするのを防ぐことができる。
【００３９】
また、梁心材１２、燃え止まり層１４、及び燃え代層１６からなる３層構造の木質梁１０の効果としては、図１に示すように、火災が発生したときに火炎が燃え代層１６に着火し、燃え代層１６が燃焼する。そして、燃焼した燃え代層１６は炭化する。これにより、木質梁１０の外部から梁心材１２への熱伝達を炭化した燃え代層１６が抑制し、燃え止まり層１４が吸熱するので、火災時、又は火災時と火災終了後における梁心材１２の温度上昇を抑制することができる。よって、火災時の所定時間の間、又は火災時と火災終了後において、木質梁１０を構造部材として機能させることができる。
【００４０】
以上、本発明の実施形態について説明した。
【００４１】
なお、本実施形態では、図１に示すように、底型枠２８を木製とした例を示したが、鋼材等の他の材料で形成されたものでもよい。例えば、底型枠を鋼製デッキプレートとしてもよい。
【００４２】
また、本実施形態では、図１に示すように、木質梁１０が、梁心材２０、燃え止まり層２２、及び燃え代層２４を有して構成されている例を示したが、木質梁は、荷重を支持する木製の梁心材と、この梁心材の側面と底面を取り囲む燃え止まり層又は燃え代層とを有していればよい。例えば、木質梁は、荷重を支持する木製の梁心材と、梁心材の側面と底面を取り囲む燃え止まり層と、燃え止まり層の側面と底面を取り囲む燃え代層以外の層（例えば、薄い木製の仕上げ材）によって構成してもよい。
【００４３】
さらに、木質梁は、側面及び底面が木材によって形成されていればよい。例えば、木材によって形成された梁本体の内部に鉄骨が設けられている木質ハイブリッド梁であってもよいし、耐火性を有さない木製の梁であってもよい。
【００４４】
また、本実施形態では、図２に示すように、第１目張り部材を目張りテープ４０とした例を示したが、第１目張り部材は、継目２８の上面（底型枠２８上面と、木質梁１０の燃え代層１６上面の間）を塞いで、継目２８の上面からのコンクリートノロの漏れ出しを抑制できるものであればよい。第１目張り部材は、防水性を有するものが好ましい。
【００４５】
さらに、本実施形態では、図２に示すように、閉塞部材を弾性材３０とした例を示したが、底型枠２８の端面３４、及び木質梁１０の側面３６と密着して、底型枠２８の端面３４と、木質梁１０の側面３６の間に設けることにより、継目２８からのコンクリートノロの漏れ出しを抑制できるものであればよい。例えば、閉塞部材を、ゴム、スポンジ、布、グリース等により構成してもよい。閉塞部材は、防水性を有するものが好ましい。
【００４６】
また、本実施形態では、図１に示すように、養生シートをビニールシートとした例を示したが、木質梁１０の側面３６にコンクリートノロが付着するのを抑制することができるものであればよい。
【００４７】
さらに、養生シート４２は、図３、４の拡大図に示すように、継目３８以外の箇所に上端部を固定してもよい。図３では、養生シート４２の上端部を、木質梁１０の燃え代層１６上面に固定している。そして、この固定は、目張りテープ４０によって、継目２８の上面を塞ぐ養生と兼ねて行われている。図４では、養生シート４２の上端部を、木質梁１０の梁心材１２上面に接着テープ４４等によって固定している。目張りテープ４０は、木質梁１０の端面３４と養生シート４２の外面の間に形成される継目３８を塞いでいる。
【００４８】
養生シート４２は、木質梁１０の側面３６にカビが生えないように、木質梁１０の側面３６と養生シート４２の間に空間を設けて通気性を確保するのが好ましい。
【００４９】
また、本実施形態では、図２に示すように、第２目張り部材を目張りテープ４６とした例を示したが、第２目張り部材は、梁心材１２上面と燃え止まり層１４上面の層継目、及び燃え止まり層１４上面と燃え代層１６上面の層継目からコンクリートノロの水分が染み込むのを防ぐものであればよい。第２目張り部材は、防水性を有するものが好ましい。
【００５０】
さらに、本実施形態では、図２に示すように、木質梁１０に、目張りテープ４０、弾性材３０、及び養生シート４２による三重の養生を施した例を示したが、木質梁１０に、目張りテープ４０及び養生シート４２による二重の養生を施すだけでもよい。この場合には、木質梁１０の側面３６に底型枠２８の端面３４を直接接触させた構成になり、目張りテープ４０及び養生シート４２は、この順に段階的にコンクリートノロの漏れ出し抑制効果（目張りテープ４０及び弾性材３０の効果）、又はコンクリートノロの付着抑制効果（養生シート４２の効果）を発揮する。すなわち、本実施形態の梁の養生方法は、少なくとも、目張りテープ４０による養生と、養生シート４２による養生が行われていればよい。
【００５１】
また、本実施形態では、図２に示すように、弾性材３０を介して木質梁１０の側面３６に底型枠２８の端部３２を押し当てた部位に生じる継目３８を第１目張り部材としての目張りテープ４０で塞いだ例を示したが、例えば、図５、６に示すように、床スラブコンクリートを打設するための底型枠を木質梁の上面に押し当てた部位に生じる継目を第１目張り部材で塞いでもよい。
【００５２】
図５、６では、底型枠を木質梁１０に架設された鋼製デッキプレート５０としている。そして、鋼製デッキプレート５０の端部５２が木質梁１０の燃え代層１６上面に載置されていることにより、鋼製デッキプレート５０の端部５２が木質梁１０の燃え代層１６上面に押し当てられた構成になっている。そして、この押し当てられている部位の継目５４を目張りテープ４０で塞いでいる。また、１つの目張りテープ４０により、継目５４と、梁心材１２上面と燃え止まり層１４上面の層継目と、燃え止まり層１４上面と燃え代層１６上面の層継目が塞がれている。
【００５３】
さらに、図６では、鋼製デッキプレート５０の端部５２下面と、木質梁１０の燃え代層１６上面の間に、発泡エチレンシートからなる閉塞部材としての弾性材５６が設けられている。
【００５４】
また、本実施形態では、図１に示すように、床スラブ２２を鉄筋コンクリート製とした例を示したが、木質梁１０及び底型枠２８上にコンクリートを打設することによって形成される床スラブであればよい。例えば、床スラブは、鉄筋コンクリート製のボイドスラブや、場所打ちプレストレストコンクリート床版であってもよい。すなわち、本実施形態の梁の養生方法は、木質梁１０及び底型枠２８上で行われる床スラブコンクリート打設に対して養生効果を発揮することができる。
【００５５】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００５６】
１０  木質梁
１２  梁心材
１４  燃え止まり層
１６  燃え代層
２８  底型枠
３０、５６  弾性材（閉塞部材）
３８、５４  継目
４０  目張りテープ（第１目張り部材）
４２  養生シート
４６  目張りテープ（第２目張り部材）
５０  鋼製デッキプレート（底型枠）
【図１】
2014201980.tif 000003
【図２】
2014201980.tif 000004
【図３】
2014201980.tif 000005
【図４】
2014201980.tif 000006
【図５】
2014201980.tif 000007
【図６】
2014201980.tif 000008